(57)【要約】      （修正有）【課題】ねずみなどの小動物の捕獲率を高めることができる小動物捕獲器を提供する。【解決手段】本体２が底部と側壁とを有している。本体２は、一体成形で側壁が底部の周囲に設けられている。本体２は、内部に捕獲室を有している。本体２は、底部に、底部侵入口と外部に連通する複数の通気孔とを有している。本体２は、側壁に側部侵入口２２を有している。本体２は、捕獲室の内部に別の本体２の底部を入れて積み重ね可能に、側壁が下部から上部にかけて内側から外側へと傾斜している。蓋３が、２つ折りするための折曲げ部２５を有し、捕獲室の上方を被覆して側壁の上に着脱可能に設けられている。蓋３は、第１蓋片３ａが捕獲室の外側に向かって開いて捕獲室の上部を開閉可能に構成されている。【選択図】図１
2008011813.tif 000002
【特許請求の範囲】
【請求項１】
底部とその底部の周囲に設けられた側壁とを有し内部に捕獲室を有し、前記底部の上に敷いた粘着シートでねずみなどの小動物を捕獲する小動物捕獲器であって、
前記底部に底部侵入口と外部に連通する複数の通気孔とを有し、前記側壁に側部侵入口を有することを、
特徴とする小動物捕獲器。
【請求項２】
本体と蓋とを有し、
前記本体は前記底部および前記側壁を有し、
前記蓋は第１蓋片および第２蓋片を折曲げ部により互いに折り畳み可能に結合して成り、前記側壁の上に着脱可能に設けられて前記本体との間に前記捕獲室を形成し、前記第１蓋片を前記第２蓋片に対し折り曲げることにより前記捕獲室を開閉可能に構成されていることを、
特徴とする請求項１記載の小動物捕獲器。
【請求項３】
前記本体は内面に同一形状の他の本体の外面を重ねて積み重ね可能に前記側壁が下部から上部にかけて内側から外側へと傾斜していることを、
特徴とする請求項２記載の小動物捕獲器。
【請求項４】
前記本体および前記蓋の内側に前記捕獲室を保温するための保温材が設けられていることを、特徴とする請求項２または３記載の小動物捕獲器。
【請求項５】
前記底部に段部と凸部と固定用穴とを有し、前記段部はその周囲の底部より高くなっていて前記通気孔が形成されており、前記凸部は前記段部と前記底部侵入口との間に設けられ前記段部より高く突出しており、前記固定用穴はアンカーピンを挿入可能に設けられていることを、
特徴とする請求項２、３または４記載の小動物捕獲器。
【発明の詳細な説明】
【技術分野】
【０００１】
本発明は、ねずみなどの小動物を捕獲する小動物捕獲器に関する。
【背景技術】
【０００２】
畑などの農地では、ねずみにより野菜などの苗や根が切られる被害が発生している。その被害を抑えるため、ねずみなどの小動物を捕獲する捕獲器が種々、開発されている。一般的な捕獲器としては、側部に侵入口を有し、内部底面に粘着部材を設けたものがある（例えば、特許文献１参照）。
【０００３】
【特許文献１】特開２００３−１８９７８０号公報
【発明の開示】
【発明が解決しようとする課題】
【０００４】
しかしながら、特許文献１に記載された従来の一般的な捕獲器は、ねずみなどの小動物の通り道に設置される。このため、小動物がその通り道を通らなかったり、警戒して避けたりすると、小動物の捕獲ができないという課題があった。
【０００５】
本発明は、このような課題に着目してなされたもので、ねずみなどの小動物の捕獲率を高めることができる小動物捕獲器を提供することを目的としている。
【課題を解決するための手段】
【０００６】
上記目的を達成するために、本発明に係る小動物捕獲器は、底部とその底部の周囲に設けられた側壁とを有し内部に捕獲室を有し、前記底部の上に敷いた粘着シートでねずみなどの小動物を捕獲する小動物捕獲器であって、前記底部に底部侵入口と外部に連通する複数の通気孔とを有し、前記側壁に側部侵入口を有することを、特徴とする。
【０００７】
本発明に係る小動物捕獲器は、通気孔を塞ぐよう捕獲室の底部の上に粘着シートを敷き、底部侵入口をねずみなどの小動物の巣穴に合わせて巣穴の上に被せるように設置して使用される。小動物をおびき寄せるよう、小動物が好むにおいを発する粘着シートを使用したり、小動物のエサを粘着シートに付着させたりすることにより、巣穴から出てきた小動物を粘着シートにおびき寄せて捕獲することができる。
【０００８】
底部侵入口が巣穴に直結するよう設置できるため、巣穴から出てきた小動物を捕獲することができる。粘着シートやエサのにおいが巣穴に拡散しやすいため、小動物をおびき寄せる誘引効果が高く、小動物の捕獲率を高めることができる。小動物が好むにおいを発する粘着シートを使用することにより、通気孔からもにおいが拡散するため、誘引効果および捕獲率をさらに高めることができる。また、巣穴の上に被せるように設置することにより、巣穴および捕獲室を暗くして、ねずみなどの夜行性の小動物に対する誘引効果を高めることができる。側部侵入口により、巣穴からだけでなく、地表を通る小動物も、捕獲室に誘い入れて捕獲することができる。
【０００９】
本発明に係る小動物捕獲器は、本体と蓋とを有し、前記本体は前記底部および前記側壁を有し、前記蓋は第１蓋片および第２蓋片を折曲げ部により互いに折り畳み可能に結合して成り、前記側壁の上に着脱可能に設けられて前記本体との間に前記捕獲室を形成し、前記第１蓋片を前記第２蓋片に対し折り曲げることにより前記捕獲室を開閉可能に構成されていることが好ましい。この場合、蓋を本体から取り外して、２つに折り畳み、本体の内部に収納することができ、運搬や保管が容易である。第１蓋片を折り曲げて開くことにより、蓋を取り外すことなく、小動物が捕獲されたかどうか容易に確認することができる。蓋を本体から取り外すことにより、粘着シートを容易に交換することができる。
【００１０】
本発明に係る小動物捕獲器で、前記本体は内面に同一形状の他の本体の外面を重ねて積み重ね可能に前記側壁が下部から上部にかけて内側から外側へと傾斜していることが好ましい。この場合、積み重ねて保管することにより、保管スペースを節約することができる。また、積み重ねることにより、小さいスペースでより多く運搬することができ、運搬コストを低減することができる。なお、蓋と本体とがバラバラにならないよう、２つ折りにした蓋を本体に収納した状態で積み重ね可能であることが好ましい。
【００１１】
本発明に係る小動物捕獲器は、前記本体および前記蓋の内側に前記捕獲室を保温するための保温材が設けられていてもよい。この場合、暖かい場所を好む小動物の習性を利用して、小動物を捕獲室におびき寄せる誘引効果を高めることができる。保温材は、例えば発泡スチロールなどの断熱材から成る。
【００１２】
本発明に係る小動物捕獲器は、前記底部に段部と凸部と固定用穴とを有し、前記段部はその周囲の底部より高くなっていて前記通気孔が形成されており、前記凸部は前記段部と前記底部侵入口との間に設けられ前記段部より高く突出しており、前記固定用穴はアンカーピンを挿入可能に設けられていることが好ましい。この場合、段部に粘着シートを敷くことにより、雨水が捕獲室の内部に流入しても、粘着シートが濡れるのを防ぐことができる。凸部により、段部に敷かれた粘着シートが、底部侵入口の側にずれるのを防ぐことができる。固定用穴にアンカーピンを挿入して地面に固定することができ、風雨による移動を防ぐことができる。また、傾斜地でも傾斜に沿ってずり落ちないよう固定することができる。
【発明の効果】
【００１３】
本発明によれば、ねずみなどの小動物の捕獲率を高めることができる小動物捕獲器を提供することができる。
【発明を実施するための最良の形態】
【００１４】
以下、図面に基づき、本発明の実施の形態について説明する。
図１および図２は、本発明の実施の形態の小動物捕獲器を示している。
図１に示すように、小動物捕獲器１は、本体２と蓋３と粘着シート（図示せず）とを有している。
【００１５】
図２に示すように、本体２は、樹脂再生材から成り、底部１１と側壁１２とを有している。本体２は、一体成形で側壁１２が底部１１の周囲に設けられている。本体２は、内部に捕獲室１３を有している。底部１１は、薄い板状で、平面形状がほぼ矩形状に形成されている。底部１１は、前部に厚さ方向に貫通して形成された底部侵入口１４を有し、後部に底部１１の周囲の他の部分より高く盛り上がった段部１５を有している。底部侵入口１４は、ねずみなどの小動物が捕獲室１３の内部に侵入可能に、四隅が丸みを帯びた矩形状に形成されている。段部１５は、上面が平坦で、後方の幅が前方の幅より狭い形状を成し、外部に連通する複数の通気孔１６を有している。通気孔１６は、正方形を成し、格子状に配置されている。また、底部１１は、段部１５と底部侵入口１４との間に、段部１５の底部侵入口１４側の側縁に沿って、段部１５より高く突出して設けられた凸部１７を有している。底部１１は、四隅に固定用穴１８を有している。固定用穴１８は、段部１５でない他の部分に、細長く形成されている。
【００１６】
側壁１２は、厚さが薄く、底部１１の周囲から上方に向かって伸びて形成されている。側壁１２は、下部から上部にかけて内側から外側へとやや傾斜している。このため、本体２は、内面に同一形状の他の本体２の外面を重ねて積み重ね可能である。側壁１２は、前部側壁１２ａが低く、後部側壁１２ｂが高く形成されている。また、側壁１２は、両側部側壁１２ｃの後方部１２ｄが後部側壁１２ｂと同じ高さを有し、前方部１２ｅが後方部１２ｄの高さから前部側壁１２ａの高さまで直線的に変化するよう上端が傾斜して形成されている。側壁１２は、上縁に沿って外側に突出したフランジ１９を有し、外側面に高さ方向に沿って形成された複数の補強用リブ２０を有している。側壁１２は、後部側壁１２ｂの上端に、後方に突出して後部側壁１２ｂの上縁に平行に設けられた４つの係合バー２１を有している。側壁１２は、前部側壁１２ａに厚さ方向に貫通して形成された側部侵入口２２を有している。側部侵入口２２は、ねずみなどの小動物が捕獲室１３の内部に侵入可能に、半円形状に形成されている。側壁１２は、前部側壁１２ａのフランジ１９に、２つの係止孔２３を有している。
【００１７】
図１に示すように、蓋３は、樹脂再生材から成り、薄い板状で、ほぼ矩形状に形成されている。蓋３は、捕獲室１３の上方を被覆するよう、側壁１２の上に設けられている。蓋３は、後縁に沿って、側壁１２の各係合バー２１に係合可能に設けられた４つの半円筒状の係合鉤２４を有している。各係合鉤２４は、各係合バー２１に着脱可能となっている。蓋３は、各係合鉤２４を各係合バー２１に係合させて取り付けられ、各係合バー２１を中心として回転させることにより捕獲室１３の上方を開閉可能になっている。
【００１８】
蓋３は、両側部側壁１２ｃの前方部１２ｅと後方部１２ｄとの境界を結んだ位置に、２つ折りするための折曲げ部２５を有している。蓋３は、前側の第１蓋片３ａおよび後側の第２蓋片３ｂを折曲げ部２５により互いに折り畳み可能に結合して成っている。蓋３は、折曲げ部２５により、折曲げ部２５より第１蓋片３ａが、両側部側壁１２ｃの前方部１２ｅ上端の傾斜に沿って設置可能になっている。蓋３は、第１蓋片３ａを捕獲室１３の外側に向かって開くことにより、捕獲室１３の上部を開閉可能である。蓋３は、第２蓋片３ｂに、同一形状の他の本体２を積み重ねた時その本体２の底部１１の段部１５に嵌合可能な嵌合段部２６を有している。また、蓋３は、第１蓋片３ａに矩形状の凹部２７を有している。蓋３は、第１蓋片３ａの前縁に、側壁１２の各係止孔２３に挿入可能に下方に突出した２つの係止部２８を有している。各係止部２８は、各係止孔２３に挿入されたとき各係止孔２３の前縁に引っ掛かっるよう、先端が前方に突出している。蓋３は、各係止部２８を各係止孔２３に挿入することにより第１蓋片３ａを閉じた状態に留め、各係止部２８の先端を後方に押しながら各係止孔２３から各係止部２８を抜くことにより第１蓋片３ａを開くようになっている。
【００１９】
粘着シートは、ねずみなどの小動物が好むにおいが付着されており、捕獲室１３の内部に設置されている。粘着シートは、貼り付いた小動物が逃げられない程度の粘着性を有する粘着面を上にして、通気孔１６を塞ぐよう底部１１の段部１５の上に敷かれている。
【００２０】
次に、作用について説明する。
小動物捕獲器１は、底部侵入口１４をねずみなどの小動物の巣穴に合わせて巣穴の上に被せるように設置して使用される。このとき、固定用穴１８にアンカーピンなどを挿入して地面に固定する。これにより、風雨による移動を防ぐことができ、傾斜地でもずれないよう固定することができる。粘着シートが、小動物が好むにおいを発するため、巣穴から出てきた小動物を粘着シートにおびき寄せて捕獲することができる。
【００２１】
底部侵入口１４が巣穴に直結するよう設置することにより、巣穴から出てきた小動物を確実に捕獲することができる。粘着シートのにおいが巣穴に拡散しやすいため、小動物をおびき寄せる誘引効果が高く、小動物の捕獲率を高めることができる。粘着シートのにおいが通気孔１６からも拡散するため、誘引効果および捕獲率をさらに高めることができる。また、巣穴の上に被せるように設置することにより、巣穴および捕獲室１３を暗くして、ねずみなどの夜行性の小動物に対する誘引効果を高めることができる。側部侵入口２２により、巣穴からだけでなく、地表を通る小動物も、捕獲室１３に誘い入れて捕獲することができる。
【００２２】
小動物捕獲器１は、蓋３を本体２から取り外して、折曲げ部２５で２つに折り畳み、本体２の捕獲室１３の内部に収納することができ、運搬や保管が容易である。第１蓋片３ａを捕獲室１３の外側に向かって開くことにより、蓋３を取り外すことなく、小動物が捕獲されたかどうか容易に確認することができる。蓋３を本体２から取り外すことにより、粘着シートを容易に取り付けることができる。
【００２３】
側壁１２が下部から上部にかけて内側から外側に傾斜しているため、捕獲室１３の内部に別の本体２の底部１１を入れて積み重ねることができる。積み重ねて保管することにより、保管スペースを節約することができる。また、積み重ねることにより、小さいスペースでより多く運搬することができ、運搬コストを低減することができる。
【００２４】
小動物捕獲器１は、段部１５に粘着シートを敷いているため、雨水が捕獲室１３の内部に流入しても、粘着シートが濡れるのを防ぐことができる。凸部１７により、段部１５に敷かれた粘着シートが、底部侵入口１４の側にずれるのを防ぐことができる。
【００２５】
なお、小動物捕獲器１は、側壁１２および蓋３の内側面に、発泡スチロール製の保温材が貼り付けられていてもよい。この場合、保温材により捕獲室１３を保温することができ、暖かい場所を好む小動物の習性を利用して、小動物を捕獲室１３におびき寄せる誘引効果を高めることができる。
【図面の簡単な説明】
【００２６】
【図１】本発明の実施の形態の小動物捕獲器を示す（ａ）正面、平面および右側面を表す斜視図、（ｂ）背面、左側面および平面を表す斜視図である。
【図２】図１に示す小動物捕獲器の本体を示す（ａ）正面、平面および右側面を表す斜視図、（ｂ）背面、左側面および平面を表す斜視図、（ｃ）背面、底面および左側面を表す斜視図である。
【符号の説明】
【００２７】
１    小動物捕獲器
２    本体
３    蓋
１１  底部
１２  側壁
１３  捕獲室
１４  底部侵入口
１５  段部
１６  通気孔
１７  凸部
１８  固定用穴
１９  フランジ
２０  補強用リブ
２１  係合バー
２２  側部侵入口
２３  係止孔
２４  係合鉤
２５  折曲げ部
２６  嵌合段部
２７  凹部
２８  係止部
【図１】
2008011813.tif 000003
【図２】
2008011813.tif 000004